(57)【要約】【課題】作画時に作画板から手前に起立することなく、円や円弧を作画する際に極めて使い勝手が良く、また、持ち運びの際にも簡便な新規な作画装置を提供する。【解決手段】作画板に着脱可能に固定される固定部材２と、基端がこの固定部材２に回動自在に取り付けられ上記作画板と略平行に伸縮自在となされた伸縮部材３と、この伸縮部材３の先端に固定され筆記具Ｃが位置決めされる位置決め部材４と、を備えてなる。【選択図】　　　　図４
2004042578.tif 000002
【特許請求の範囲】
【請求項１】
作画板に着脱可能に固定される固定部材と、基端がこの固定部材に回動自在に取り付けられ上記作画板と略平行に伸縮自在となされた伸縮部材と、この伸縮部材の先端に固定され筆記具が位置決めされる位置決め部材と、を備えてなることを特徴とする作画装置。
【請求項２】
前記伸縮部材は、円筒状に成形され前記固定部材が基端に回動自在に固定されてなる外側円筒部と、この外側円筒部内に配設され該外側円筒部内から出没自在とされてなるとともに該外側円筒部の中心軸にかけて除々に小径となされた複数の内側円筒部とから構成され、上記外側円筒部及び内側円筒部の外周面には、長さを計測する目盛が形成されてなることを特徴とする請求項１記載の作画装置。
【請求項３】
前記位置決め部材は、筆記具の先端側が挿通される開口が形成されてなるとともに、該位置決め部材には、前記伸縮部材の固定位置とは反対位置に位置決め用凸部が設けられてなることを特徴とする請求項１又は２記載の作画装置。
【請求項４】
前記固定部材は、作画板に磁着される磁石が構成要素とされてなることを特徴とする請求項１，２又は３記載の作画装置。
【発明の詳細な説明】
【０００１】
【発明が属する技術分野】
本発明は、例えば、黒板やホワイトボード等の作画板に作画するために使用される作画装置に関し、特に、チョークやペン等の筆記具により上記作画板に円又は円弧等を作画する際に使用される作画装置に関するものである。
【０００２】
【従来の技術】
従来、教師が数学や物理を生徒に教える際に、チョーク等を使用して黒板に円や円弧を描く場合には、大型のコンパスを使用しているのが実情である。このコンパスは、それぞれ基端側が回動可能に連結された一方及び他方のコンパス杆が構成要素とされ、上記一方のコンパス杆の先端には、硬質ゴムが固定され、上記他方のコンパス杆の先端には、チョーク等の筆記具を固定し又は挿入するチョーク固定部材が設けられている。このコンパスの使用時には、上記一方及び他方のコンパス杆を適当な角度となるようＶ字状に開き、上記一方のコンパス杆の先端を黒板に押圧することにより位置決めした上で、他方のコンパス杆の先端に固定されたチョークを黒板に押圧しながらコンパス全体を回動させることにより円又は円弧を作画する。
【０００３】
【発明が解決しようとする課題】
しかしながら、上述した従来のコンパスでは、一方のコンパス杆の先端を黒板に押圧し位置決めした状態でコンパス全体を回動させる必要があるために、正確に円や円弧を作画することができない場合が多い。なお、こうした課題を解決するために、従来、特開平１１−７８３７３号公報に開示されたコンパスが提案されている。このコンパスは、上記一方のコンパス杆の先端に、黒板に吸着する吸盤を回動自在に固定したものである。このコンパスによれば、上記吸盤により一方のコンパス杆は固定されることから、先に説明したコンパスと比べれば使い勝手が良い。しかし、先に説明したコンパスもこの特開平１１−７８３７３号公報に開示されたコンパスにおいても、縦方向に位置する黒板の作画面から手前に（略水平に）上記一方及び他方のコンパス杆を起立させ、この状態で回動操作しなければならないことから、極めて面倒であるとともに、一方及び他方のコンパス杆が重なるように折り畳んだとしても、該一方又は他方のコンパス杆の長さよりも構造的に短くすることはできない。このため、持ち運びには極めて不便である。
【０００４】
そこで、本発明は、上述した従来のコンパス（作画装置）が有する課題を解決するために提案されたものであって、作画時に作画板から手前に起立することなく、円や円弧を作画する際に極めて使い勝手が良く、また、持ち運びの際にも簡便な新規な作画装置を提供することを目的とするものである。
【０００５】
【課題を解決するための手段】
本発明は上記の目的を達成するために提案されたものであって、第１の発明（請求項１記載の発明）は、作画板に着脱可能に固定される固定部材と、基端がこの固定部材に回動自在に取り付けられ上記作画板と略平行に伸縮自在となされた伸縮部材と、この伸縮部材の先端に固定され筆記具が位置決めされる位置決め部材と、を備えてなることを特徴とするものである。
【０００６】
上記第１の発明では、伸縮部材は、作画板と略平行に伸縮自在とされており、作画板から手前に起立するものでない。したがって、この第１の発明によれば、円や円弧の作画の際には、作画板の適当な位置に固定部材を固定し、上記伸縮部材を、作画する円又は円弧の曲率に応じて伸張又は短縮（縮小）させ、位置決め部材によりチョークやペン等の筆記具を位置決めした状態で上記固定部材を中心に該筆記具を回動させることにより、簡単に円又は円弧が作画される。特に、この第１の発明では、片手で筆記具を移動させることにより円や円弧が作画できることから、一方の手で作画する際に、他方の手では教科書や紙或いはマイクを持つことができる。また、上記伸縮部材を構成要素としたことにより、持ち運びも極めて簡便となり、さらには、作画板に作画された図形や記載された文字又は貼付された印刷物を指示する指示棒としても利用することができる。
【０００７】
なお、本発明を構成する固定部材は、作画板に着脱自在に固定できるものであれば良く、例えば、作画板に吸着される吸盤、（作画板が磁性体であれば）磁石を構成要素とするものであっても良く、或いは、粘着剤が塗布されているものであっても良い。また、上記伸縮部材は、少なくとも、上記作画板と略平行に伸縮自在となされたものであれば、請求項２記載の構成ばかりではなく、複数のスライド板からなるものであっても良い。また、上記位置決め部材は、少なくとも、チョークやペン等の筆記具が位置決めされるものであれば、請求項３記載の構成ばかりではなく、例えば、上記筆記具の先端側が圧入される保持部や、該筆記具が把持されるグリップであっても良い。
【０００８】
また、第２の発明（請求項２記載の発明）は、前記第１の発明において、前記伸縮部材は、円筒状に成形され前記固定部材が基端に回動自在に固定されてなる外側円筒部と、この外側円筒部内に配設され該外側円筒部内から出没自在とされてなるとともに該外側円筒部の中心軸にかけて除々に小径となされた複数の内側円筒部とから構成され、上記外側円筒部及び内側円筒部の外周面には、長さを計測する目盛が形成されてなることを特徴とするものである。
【０００９】
上記第２の発明によれば、上記伸縮部材を適当な長さに調節することにより、指示棒としても利用することができるばかりではなく、例えば、上記固定部材において基端を固定した上で、伸縮部材の長さを変更することにより、ベクトルの大きさ（長さ）を示す（教える）際にも利用でき、さらには、上記固定部材において基端を固定した上で伸縮部材を回動させることにより、グラフ等で示される直線の傾きの違いを明確に示す際にも利用することができる。特に、この第２の発明では、上記伸縮部材には、目盛が形成されていることから、所定の曲率又は径の値を正確なものとすることができ、また、ベクトルの大きさ（長さ）も正確に示す（教える）ことが可能となる。
【００１０】
また、第３の発明（請求項３記載の発明）は、前記第１又は第２の発明において、前記位置決め部材は、筆記具の先端側が挿通される開口が形成されてなるとともに、該位置決め部材には、前記伸縮部材の固定位置とは反対位置に位置決め用凸部が設けられてなることを特徴とするものである。
【００１１】
上記第３の発明によれば、例えば、筆記具としてチョークを用いる場合には、上記開口にチョークの先端側を挿通するとともに、該チョークを移動させることにより円や円弧が作画できる。また、この第３の発明では、位置決め部材には、前記伸縮部材の伸張方向に対応する部位に位置決め用凸部が設けられてなることから、円弧や始端や終端を正確に特定することが可能となる。
【００１２】
また、第４の発明（請求項４記載の発明）は、前記第１，第２又は第３の発明において、前記固定部材は、作画板に磁着される磁石が構成要素とされてなることを特徴とするものである。
【００１３】
この第４の発明では、磁石を構成要素としたことにより作画板に簡単に磁着させることができ、また、不使用時においてもスチール製の机や戸棚等の側面にも磁着させておくことができることから、一層使い勝手がよく、また、低コスト化にも寄与する。
【００１４】
【発明の実施の形態】
以下、本発明の一実施の形態に係る作画装置について、図面を参照しながら詳細に説明する。
【００１５】
この作画装置１は、少なくとも正面は鉄等の磁性体からなる黒板（作画板）に、筆記具としてのチョークＣを用いて円や円弧を作画するものに本発明を適用したものであり、図１に示すように、黒板に着脱自在に固定される固定部材２と、この固定部材２に回動自在に取り付けられた伸縮部材３と、この伸縮部材３の先端に形成された位置決め部材４を備えている。
【００１６】
上記固定部材２は、下方に図示しない円形状の開口が形成された磁石ケース５と、この磁石ケース５内に収納され図示しない接着剤により該磁石ケース５に接着された磁石６とから構成されている。そして、上記磁石ケース５の上面の中心には、有頭の支軸７が固定され、この支軸７には、リング８が挿通されてなるとともに連結金具９が連結されている。この連結金具９は、図２に示すように、上記支軸７が挿通され中心には図示しない開口が形成された平板部１０と、この平板部１０の一端から上方に起立してなる起立板部１１とから構成され、外形形状はＬ字状に成形されてなり、上記支軸７を中心に回動自在とされている。
【００１７】
また、上記連結金具９を構成する上記起立板部１１の上端には、該起立板部１１の長さ方向とは直行する方向に上記伸縮部材３の基端が固定されている。この伸縮部材３は、図示しない市販のペンの長さよりも若干短い長さとされた外側円筒部１２と、この外側円筒部１２内に配設され該外側円筒部１２の先端から出没自在となされた第１の内側円筒部１３と、この第１の内側円筒部１３内に配設され該第１の内側円筒部１３の先端から出没自在となされた第２の内側円筒部１４等、全部で６つの内側円筒部（第１乃至第６の内側円筒部）１３・・・１８とから構成されている。したがって、この伸縮部材３は、上記第６の内側円筒部１８の先端側を指で把持しながら上記固定部材２の取付方向とは逆方向に引き出すと、該第６の内側円筒部１８が引き出され、次いで第５の内側円筒部１７が引き出され、さらに引き出すと上記第４の内側円筒部１６が引き出されるという順序で、最終的には、上記外側円筒部１２の先端から第１乃至第６の内側円筒部１３・・・１８の全てが引き出されることにより、極めて長尺とされるように構成されている。そして、上記外側円筒部１２及び第１乃至第６の内側円筒部１３・・・１８の外周面には、それぞれ目盛１２ａ・・・１８ａが形成されている。なお、上記外側円筒部１２の先端側には、この作画装置１を、図示しない衣服のポケットに係止する際に使用されるフック１９が固定されている。
【００１８】
また、上述した構成に係る伸縮部材３を構成する第６の内側円筒部１８の先端には、位置決め部材４が固定されている。この位置決め部材４は、内側に挿通穴４ａが形成されたリングであり、上記挿通穴４ａの内径は、図１に示すチョークＣの外径よりもやや大径とされている。そして、この位置決め部材４の外周であって上記第６の内側円筒部１８の固定位置とは反対位置に位置決め用の凸部２０が固定されている。
【００１９】
以下、上述した作画装置１を使用して作画板としての黒板に作画する方法について説明する。
【００２０】
先ず、上記固定部材２を黒板の作画面の任意の位置に磁着させ、次いで、上記伸縮部材３を適当な長さに伸長させる。言うまでも無く、上記伸縮部材３を適当な長さに伸長させ、その後に、黒板に磁着させても良い。このように、作画装置１を上記固定部材３を介して磁着（固定）させることにより、該作画装置１から手を離しても黒板から脱落することはない。そして、上記リングからなる位置決め部材４内にチョークＣを挿通し、図４に示すように、時計回り方向（又はその逆方向）にチョークＣを移動させることにより、上記伸縮部材３は、上記支軸７を中心に回動し、この結果、黒板の作画面上に円弧Ｓが作画され、上記チョークＣを３６０度回転移動させることにより、図示しない円が作画される。そして、こうした作画作業は、チョークＣを把持した一方の手で行うことができることから、教師等の作業者乃至は使用者は、他方の手でマイクや教科書等を持った上体で作画することができる。なお、適当な円弧Ｓ又は図示しない円を作画した後に、その円弧Ｓ等の径よりも短い又は長い円弧Ｓを作画する場合には、上記伸長された伸縮部材３を縮小させ又はさらに伸長させることにより簡単に作画できる。しかも、この実施の形態に係る作画装置１では、上記伸縮部材３を構成する外側円筒部１２及び第１乃至第６の内側円筒部１３・・・１８の外周にはそれぞれ目盛１２ａ・・・１８ａが形成されていることから、正確な長さの径とされた円弧Ｓや円を作画することができる。
【００２１】
さらに、この実施の形態に係る作画装置１によれば、上述した作画のみならず、図５に示すように、上記固定部材２をベクトルＦ１，Ｆ２の交点に固定し、伸縮部材３の向きを、該ベクトルＦ１の向きからベクトルＦ２の向きに簡単に変更できるとともに、上記伸縮部材３を（例えば、２倍，３倍に）伸縮させることにより、ベクトルＦ１，Ｆ２の大きさ（長さ）を示すことも可能となる。また、図６に示すように、グラフＧ等に示された直線Ｌ１，Ｌ２の傾きについても、上記固定部材２をｘ軸とｙ軸との交点に固定し、伸縮部材３を回動操作することにより簡単に示すことが可能となる。なお、この作画装置１の不使用時には、伸長された伸縮部材３を縮小させることによりコンパクト化されるとともに、上記フック１９を介して図示しない上着やシャツのポケットに係止させることができるので、嵩張ることがなく、持ち運びにも良好となる。
【００２２】
なお、上記実施の形態では、伸縮部材３を構成する外側円筒部１２と第１乃至第６の内側円筒部１３・・・１８の外周に目盛１２ａ・・・１８ａを形成したものを図示したが、図７に示すように、伸縮部材３の基端側、すなわち、固定部材２や或いはリング８の上面に目盛２２，２３を形成するとともに、回動する連結金具９を構成する平板部１０に印し（マーク）２４を形成しても良い。上記作画装置１にこうした構成を付加することにより、正確な角度を有する円弧Ｓを作画できるとともに、図６に示す直線Ｌ１，Ｌ２の角度を測定することも可能となる。
【００２３】
【発明の効果】
前述した本発明の一実施の形態の説明からも明らかなように、本発明（請求項１記載の発明）によれば、円や円弧の作画の際には、作画板の適当な位置に固定部材を固定し、上記伸縮部材を、作画する円又は円弧の曲率に応じて伸張又は短縮（縮小）させ、位置決め部材によりチョークやペン等の筆記具を位置決めした状態で上記固定部材を中心に該筆記具を回動させることにより、簡単に円又は円弧が作画される。特に、この第１の発明では、片手で筆記具を移動させることにより円や円弧が作画できることから、一方の手で作画する際に、他方の手では教科書や紙或いはマイクを持つことができる。また、上記伸縮部材を構成要素としたことにより、持ち運びも極めて簡便となる。
【００２４】
また、第２の発明（請求項２記載の発明）によれば、上記伸縮部材を適当な長さに調節することにより、指示棒としても利用することができるばかりではなく、例えば、上記固定部材において基端を固定した上で、伸縮部材の長さを変更することにより、ベクトルの大きさ（長さ）を示す（教える）際にも利用でき、さらには、上記固定部材において基端を固定した上で伸縮部材を回動させることにより、グラフ等で示される直線の傾きの違いを明確に示す際にも利用することができる。特に、この第２の発明では、上記伸縮部材には、目盛が形成されていることから、所定の曲率又は径の値を正確なものとすることができ、また、ベクトルの大きさ（長さ）も正確に示す（教える）ことが可能となる。
【００２５】
また、第３の発明（請求項３記載の発明）によれば、例えば、筆記具としてチョークを用いる場合には、上記開口にチョークの先端側を挿通するとともに、該チョークを移動させることにより円や円弧が作画できる。また、この第３の発明では、位置決め部材には、前記伸縮部材の伸張方向に対応する部位に位置決め用凸部が設けられてなることから、円弧や始端や終端を正確に特定することが可能となる。
【００２６】
また、第４の発明（請求項４記載の発明）によれば、磁石を構成要素としたことにより作画板に簡単に磁着させることができ、また、不使用時においてもスチール製の机や戸棚等の側面にも磁着させておくことができることから、一層使い勝手がよく、また、低コスト化にも寄与する。
【図面の簡単な説明】
【図１】本発明の一実施の形態に係る作画装置を示す斜視図である。
【図２】作画装置の側面図である。
【図３】作画装置の平面図である。
【図４】作画装置により円弧を作画した状態を示す参考図である。
【図５】作画装置によりベクトルを示す際の使用状態を示す参考図である。
【図６】作画装置により直線の傾きを示す際の使用状態を示す参考図である。
【図７】作画装置の基端側を拡大して示す平面図である。
【符号の説明】
１　　作画装置
２　　固定部材
３　　伸縮部材
４　　位置決め部材
１２　　外側円筒部
１３・・・１８　　第１乃至第６の内側円筒部
２０　　位置決め部
Ｓ　　円弧
【図１】
2004042578.tif 000003
【図２】
2004042578.tif 000004
【図３】
2004042578.tif 000005
【図４】
2004042578.tif 000006
【図５】
2004042578.tif 000007
【図６】
2004042578.tif 000008
【図７】
2004042578.tif 000009